(57)【要約】【課題】  被写体とともに色票を撮影して得られるカラー画像の色のキャリブレートを色票画像に基づいて行う画像処理システムにおいて、どの撮影画像がどの色票を用いて撮影されたものかを容易に特定できるようにして、撮影画像の管理を容易かつ正確にする。【解決手段】  色票１は、シート状部材１０の表面側に、少なくとも１色の色材が塗布された基準領域１１が形成されており、かつ、そのシート状部材１０の内部に、固有の識別情報を格納するマイクロチップ１４が埋設され、その識別情報を外部から無線読み取り可能なように構成される。画像処理システムは、前記色票１から読み取った識別情報を用いて画像の管理を行うように構成される。【選択図】図１
2006084264.tif 000002
【特許請求の範囲】
【請求項１】
カラー画像の色のキャリブレートを行うために使用されるシート状の色票であって、
シート状部材の表面側に、少なくとも１色の色材が塗布された基準領域が形成されており、かつ、前記シート状部材の内部に、固有の識別情報を格納するマイクロチップが埋設され、前記識別情報を外部から無線読み取り可能なように構成された色票。
【請求項２】
請求項１に記載の色票において、
第１のシート状部材、第２のシート状部材および台紙がこの順で互いに粘着材を介して貼り合わされた構造を有し、前記第１のシート状部材は比較的粘着力の弱い粘着材で前記第２のシート状部材に対して剥離可能な状態で貼り合わされ、前記第２のシート状部材は比較的粘着力の強い粘着材で前記台紙に対して剥離可能な状態で貼り合わされることを特徴とする色票。
【請求項３】
請求項１又は２に記載の色票において、
前記シート状部材の表面の一部に、前記識別情報が印字されることを特徴とする色票。
【請求項４】
色票と被写体とを同時に撮影した画像を入力し、前記画像から照明光の影響を取り除いた画像データを生成する画像処理システムであって、
前記色票から、前記色票に記憶された識別情報を読み取る読取手段と、
前記識別情報を、前記画像に関連づけて記録する記録手段と、
を備える画像処理システム。
【請求項５】
請求項４に記載の画像処理システムにおいて、
前記記録手段は、前記画像に関する画像ファイルの付属データに対して前記識別情報を書き込むことを特徴とする画像処理システム。
【請求項６】
請求項４に記載の画像処理システムにおいて、
前記記録手段は、前記画像に関する画像ファイルのファイル名に、前記識別情報を含めて記録することを特徴とする画像処理システム。
【請求項７】
請求項４ないし６のいずれかに記載の画像処理システムにおいて、
患者の情報を管理する医療用データベースをさらに備え、
前記記録手段は、前記画像の撮影対象となった患者の患者情報と、前記識別情報とをさらに関連づけて前記医療用データベースに対して記録することを特徴とする画像処理システム
【請求項８】
請求項７に記載の画像処理システムにおいて、
前記記録手段は、前記画像による診断結果をさらに関連づけて前記医療用データベースに対して記録することを特徴とする画像処理システム。
【発明の詳細な説明】
【技術分野】
【０００１】
本発明は、カラー画像の色のキャリブレートを行うために使用するシート状の色票、および画像処理システムに関する。
【背景技術】
【０００２】
例えば医療分野においては、患者の患部に係る画像データを時間を変えて取得しておき、取得された複数の画像データを事後的に閲覧および比較することで、患部に対する治療の経過観察が行われている。このように比較を目的として複数の画像データを取得する場合には、被写体への照明環境などの撮影条件を同一にすることが好ましい。
【０００３】
ところが、比較対象となる複数の画像データの撮影時間や撮影場所は一般に異なるため、撮影条件を一致させることは事実上不可能である。このため、複数の画像データを再生した場合においては、異なる条件下における被写体が再現される。例えば、複数の画像データの撮影時における被写体への照明光が互いに異なれば、再生時において同一の被写体が、複数の画像データの間で異なる色で再現される。このことから、複数の画像データを再生する際に、再現される被写体を的確に比較できないという問題が生じていた。
【０００４】
そこで従来は、画像取得時に、既知の色成分からなる色票（カラーチャート）を被写体とともに撮影しておき、カラー画像に含まれる色票画像に基づいて、複数の画像データを同一条件で比較することが行われている（例えば、特許文献１）。
【０００５】
しかし、医療現場などにおいては、異なる患者の患部を連続的に撮影することも頻繁に行われる。この場合、連続撮影して得られた複数の撮影画像のうち、どの撮影画像がどの患者を撮影したものかという対応関係については専ら現場スタッフによる手作業で管理されていた。
【０００６】
そのため、従来は、撮影画像と患者との対応関係が誤った状態で管理される可能性があり、医療ミスの生じる可能性が高かった。
【０００７】
【特許文献１】特開平９−５１６４号公報
【発明の開示】
【発明が解決しようとする課題】
【０００８】
本発明は、従来の問題点を解決するためになされたものであって、撮影画像がどの色票を用いて撮影されたものかを容易に特定できるようにして、撮影画像の管理を容易かつ正確にする色票および画像処理システムを提供することを目的とするものである。
【課題を解決するための手段】
【０００９】
上記目的を達成するため、本発明にかかる色票は、カラー画像の色のキャリブレートを行うために使用されるシート状のものであって、そのシート状部材の表面側に、少なくとも１色の色材が塗布された基準領域が形成されており、かつ、前記シート状部材の内部に、固有の識別情報を格納するマイクロチップが埋設され、前記識別情報を外部から無線読み取り可能なように構成されるものである。
【００１０】
この色票においては、第１のシート状部材、第２のシート状部材および台紙がこの順で互いに粘着材を介して貼り合わされた構造を有し、前記第１のシート状部材が比較的粘着力の弱い粘着材で前記第２のシート状部材に対して剥離可能な状態で貼り合わされ、前記第２のシート状部材が比較的粘着力の強い粘着材で前記台紙に対して剥離可能な状態で貼り合わされることが好ましい。
【００１１】
また、上記色票においては、前記シート状部材の表面の一部に、前記識別情報が印字されることが好ましい。
【００１２】
また、本発明にかかる画像処理システムは、色票と被写体とを同時に撮影した画像を入力し、前記画像から照明光の影響を取り除いた画像データを生成するシステムであって、前記色票から、前記色票に記憶された識別情報を読み取る読取手段と、前記識別情報を、前記画像に関連づけて記録する記録手段と、を備えて構成されるものである。
【００１３】
この画像処理システムにおいては、前記記録手段が、前記画像に関する画像ファイルの付属データに対して前記識別情報を書き込むように構成されることが好ましい。
【００１４】
また、上記画像処理システムにおいては、前記記録手段が、前記画像に関する画像ファイルのファイル名に、前記識別情報を含めて記録するように構成されることが好ましい。
【００１５】
また、上記画像処理システムは、患者の情報を管理する医療用データベースをさらに備え、前記記録手段が、前記画像の撮影対象となった患者の患者情報と、前記識別情報とをさらに関連づけて前記医療用データベースに対して記録するように構成されることが好ましい。
【００１６】
この画像処理システムにおいては、前記記録手段が、前記画像による診断結果をさらに関連づけて前記医療用データベースに対して記録するように構成されることがより好ましい。
【発明の効果】
【００１７】
本発明にかかる色票によれば、シート状部材の内部に埋設されたマイクロチップから固有の識別情報を無線読み取りできるように構成されているので、該識別情報を読み取って画像およびその他の情報に対応付けることで、画像がどの色票を用いて撮影されたものかを容易に特定できるようになり、画像及びその他情報の管理を容易かつ正確に行えるようになる。
【００１８】
特に、第１のシート状部材、第２のシート状部材および台紙がこの順で互いに粘着材を介して貼り合わされた構造を有し、第１のシート状部材が比較的粘着力の弱い粘着材で第２のシート状部材に対して剥離可能な状態で貼り合わされ、第２のシート状部材が比較的粘着力の強い粘着材で台紙に対して剥離可能な状態で貼り合わされることにより、第１のシート状部材を被写体への貼り付け用に、第２のシート状部材をカルテなどへの貼り付け用に使用することができるようになる。
【００１９】
また、シート状部材の表面の一部に、識別情報が印字されることにより、マイクロチップに記憶された識別情報を目視でも確認できるようになっている。
【００２０】
また、本発明にかかる画像処理システムによれば、撮影時に使用した色票から、その色票に記憶された識別情報を読み取り、その識別情報を、画像に関連づけて記録するように構成されるので、どの撮影画像がどの色票を用いて撮影されたものかを容易に特定することができる。よって、撮影画像の管理を容易かつ正確に行うことができるように構成されている。
【００２１】
特に、画像処理システムが、患者の情報を管理する医療用データベースをさらに備え、撮影対象となった患者の患者情報と、前記識別情報とをさらに関連づけて医療用データベースに対して記録するように構成されることにより、識別情報によって、画像と患者情報とを対応付けることができ、画像と患者情報との管理を正確に行うことができるようになる。
【００２２】
またさらに、画像による診断結果を医療用データベースに関連づけて記録することにより、画像、患者情報、および診断結果が相互に対応付けられることになり、総合的な医療情報の正確な管理が可能である。
【発明を実施するための最良の形態】
【００２３】
以下、本発明の実施の形態について図面を参照しつつ詳細に説明する。
【００２４】
本実施の形態では、カラー画像の色のキャリブレートを行うために、既知の基準色が塗布された基準色パッチを有するシート状の色票が使用され、該色票が被写体とともに撮影される。
【００２５】
図１ないし図３は本実施の形態における色票１の構造を示す図である。図１および図２に示すように、色票１は、第１のシート状部材１０、第２のシート状部材２０、および台紙３０がこの順に貼り合わされた３枚構造を有している。図２は、３枚構造の各シート状部材が分離された状態を示しており、図２に示されるように、色票１の最も表面側に配置される第１のシート状部材１０と、中間位置に配置される第２のシート状部材２０とは、それぞれの表面に同一の基準色パッチ１２，２２を有している。
【００２６】
図２に示すように、第１のシート状部材１０の表面中央には略正方形の基準領域１１が形成され、その領域１１に、少なくとも１色の既知の色材が塗布されて形成された基準色パッチ１２が形成されている。また、第１のシート状部材１０の表面下部には識別情報表示欄１３が設けられており、そこには当該色票１に固有の識別情報（図１および図２では「１２３４」）が印字されている。
【００２７】
同様に、第２のシート状部材２０の表面中央にも基準領域２１が形成され、その領域２１に、第１のシート状部材１０の基準色パッチ１２と同一の基準色パッチ２２が形成されている。また、第２のシート状部材２０の表面下部には識別情報表示欄２３が設けられており、そこには当該色票１に固有の識別情報であって、第１のシート状部材１０に印字された識別情報と同じものが印字されている。
【００２８】
第１のシート状部材１０の裏面側には、比較的粘着力の弱い粘着材層が形成されており、第１のシート状部材１０は第２のシート状部材２０に対して剥離可能な状態で貼り合わされる。そして色票１を用いて被写体の撮影を行うときには、第１のシート状部材１０を第２のシート状部材２０から剥がし取って、第１のシート状部材１０を被写体の患部付近などに貼り付けることができるようになっている。そのため、本実施形態においては、第１のシート状部材１０が撮影対象となる。ここで第１のシート状部材１０の裏面側に形成される粘着材層の粘着力が比較的弱いものであるというのは、被写体の患部付近に貼り付けた第１のシート状部材１０を、撮影後簡単に剥がせるようにするためである。
【００２９】
また、第２のシート状部材２０の裏面側には、比較的粘着力の強い粘着材層が形成されており、第２のシート状部材２０は台紙３０に対して剥離可能な状態で貼り合わされる。この第２のシート状部材２０は、台紙３０から剥がし取って、主にカルテなどに貼り付けるために用いられる。カルテなどに第２のシート状部材２０を貼り付けておけば、画像撮影時にどの色票１を用いて撮影したかを、後に目視で確認することができるようになる。ここで第２のシート状部材２０の裏面側に形成される粘着材層の粘着力が比較的強いものであるというのは、カルテなどに貼り付けられた第２のシート状部材２０が簡単には剥離しないようにするためである。
【００３０】
また、第１のシート状部材１０の所定位置の内部には、マイクロチップ１４が埋設される。図３は第１のシート状部材１０の一部断面図である。第１のシート状部材１０は、表面側シート１０ａと裏面側シート１０ｂとが糊１０ｃによって貼り合わされた構造を有しており、表面側シート１０ａと裏面側シート１０ｂとの間にマイクロチップ１４が埋設されている。
【００３１】
マイクロチップ１４は、無線通信機能およびＲＯＭ機能からなる、縦横４００μｍ程度、厚さ６０μｍ程度の直方体形の超小型無線ＩＣチップであり、内蔵ＲＯＭには色票１に固有の識別情報が読み出し専用データとして格納されている。内蔵ＲＯＭに格納される識別情報は、第１および第２のシート状部材１０，２０の表面に印字された識別情報と同じ情報である。そして内蔵ＲＯＭに格納された識別情報は、マイクロチップ１４の無線通信機能によって外部に無線出力されるように構成されている。換言すれば、第１のシート状部材１０に格納されている識別情報を、専用読取装置によって第１のシート状部材１０の外部から無線読み出しできるようになっている。なお、このようなマイクロチップ１４として、例えばアンテナ内蔵型ミューチップ（日立製作所製）などを用いることができる。
【００３２】
上記のような構造の色票１を用いて被写体の撮影を行う際には、例えば第１のシート状部材１０が第２のシート状部材２０から剥がされて被写体の患部付近に貼り付けられる。そして色票１（この場合は第１のシート状部材１０）が被写体とともに撮影され、画像処理システムにおいて、基準色パッチ１２の画像に基づいたカラー画像の色のキャリブレートが行われる。また、画像処理システムは、撮影に使用された色票１から識別情報を読み取り、その識別情報と撮影画像との対応付けを行って、画像およびその他の情報管理を行うように構成される。以下においては、このような画像処理システムの詳細について説明する。
【００３３】
図４は、画像処理システム１００の一例を示す概略図である。図４に示すように画像処理システム１００は、画像入力装置として機能するデジタルカメラ２００と、画像再生装置として機能するコンピュータ３００ａと、電子カルテなどの患者情報を医療用データベースとして蓄積する機能を備えたコンピュータ３００ｂと、色票１から識別情報を無線読み取りする読取装置４００とを備えている。コンピュータ３００ａと３００ｂとは、ネットワーク９などを介して相互にデータの送受信が可能なように構成されるものであるが、これらは１台のコンピュータで実現されるものであっても構わない。
【００３４】
デジタルカメラ２００は、被写体８１を撮影してカラー画像に関する画像データを取得する。この撮影にあたっては、図４に示す如く、被写体８１とともに、基準被写体となる色票１が同時に撮影される。また撮影の際には、画像中において色票１の基準領域が略正方形の領域として得られるように、デジタルカメラ２００（の撮像面）と色票１とが略平行に配置されることが好ましい。
【００３５】
また、撮影の際には、色票１はデジタルカメラ２００の撮影範囲のほぼ中央に位置するように配置されることが好ましい。デジタルカメラ２００では一般にレンズユニット１１０のシェーディングにより、画像周辺部分の輝度が低下することが知られており、また画像周辺部分はレンズの歪曲収差が大きいので色票１の各パッチが歪んで写る可能性が高いことから、それらによる画質劣化を防止するためである。
【００３６】
デジタルカメラ２００は、色票１および被写体を撮影してカラー画像に関する画像データを取得すると、その画像データから後述する物体色成分データを生成して記録媒体であるメモリカード９１に保存する。物体色成分データは、メモリカード９１を介してデジタルカメラ２００からコンピュータ３００ａに受け渡される。なお、デジタルカメラ２００とコンピュータ３００ａとが通信ケーブルによって接続されている場合には、撮影動作に連動して生成される物体色成分データが、デジタルカメラ２００からコンピュータ３００ａに通信ケーブルを介して直接送信されるように構成してもよい。
【００３７】
コンピュータ３００ａは、デジタルカメラ２００から物体色成分データを入力すると、その物体色成分データをデータベースとして蓄積する。
【００３８】
また、コンピュータ３００ａは、デジタルカメラ２００から物体色成分データを入力することに前後して、読取装置４００を機能させ、撮影時に被写体８１に貼り付けられた色票１（より厳密には第１のシート状部材１０）に内蔵されたマイクロチップ１４から、該色票１に対して固有に設定された識別情報の無線読み取りを実行させる。そして読み取った識別情報は、コンピュータ３００ａにおいて物体色成分データに関連づけて記録される。
【００３９】
さらに、コンピュータ３００ａは、コンピュータ３００ｂの医療用データベースから被写体８１である患者の患者情報を取得し、該患者情報に対して、読取装置４００で読み取った識別情報を関連づけて医療用データベースを更新するように構成される。
【００４０】
そして画像診断時には、コンピュータ３００ａは、データベース中から診断対象となる特定の患者についての複数の物体色成分データを抽出し、複数のカラー画像データを同一条件の下に再現する。ユーザは、このようにして再現再生される複数のカラー画像を閲覧し、各画像に含まれる被写体を同一条件下で比較することとなる。
【００４１】
なお、図４においては、デジタルカメラ２００が１台のみ描かれているが、多数のものが画像処理システム１００に含まれていてもよい。
【００４２】
図５は主としてコンピュータ３００ａの概略構成を示す図である。図５に示すように、コンピュータ３００ａは、ＣＰＵ３０１、ＲＯＭ３０２およびＲＡＭ３０３をバスラインに接続した一般的なコンピュータシステムの構成となっている。バスラインにはさらに、データやプログラム等を保存するハードディスク３０４、各種情報を表示するディスプレイ３０５、操作部３０６としてユーザからの入力を受け付けるキーボード３０６ａおよびマウス３０６ｂ、記録ディスク９２（光ディスク、磁気ディスク、光磁気ディスク等）との間で情報の受け渡しを行う入力装置３０７、メモリカード９１との間で情報の受け渡しを行うカードスロット３０８、並びに色票１に設定された識別情報の無線読み取りを行う読取装置４００が、適宜、インターフェイス（Ｉ／Ｆ）を介する等して接続される。またさらに、バスラインにはネットワーク９を介してコンピュータ３００ｂの医療用データベースにアクセスするネットワークインターフェイス（ネットワークＩ／Ｆ）３０９が接続されており、ＣＰＵ３０１が該ネットワークＩ／Ｆ３０９を介してコンピュータ３００ｂの医療用データベース３１０にアクセスできるようになっている。
【００４３】
ＲＡＭ３０３、ハードディスク３０４、入力装置３０７およびカードスロット３０８は互いにデータの受け渡しが可能とされており、ＣＰＵ３０１の制御の下、ディスプレイ３０５には、ＲＡＭ３０３、ハードディスク３０４およびメモリカード９１等に記憶されている画像データや各種情報の表示が可能とされる。
【００４４】
図５に示すプログラム３４１は、記録ディスク９２から読取装置３０７を介して、若しくはコンピュータ３００ｂからネットワークＩ／Ｆ３０９を介して、ハードディスク３０４に記憶されたものであり、適宜、ハードディスク３０４からＲＡＭ３０３へと読み出されて、ＣＰＵ３０１により実行される。ＣＰＵ３０１がプログラム３４１に従って動作することにより画像データを処理する機能が実現され、これにより、コンピュータ３００ａが画像診断を行うための画像処理システムとしての主たる機能を発揮する。ＣＰＵ３０１がプログラム３４１に従って動作することにより実現される機能の詳細については後述する。なお、コンピュータ３００ａがインターネットなどの電気通信回線を介した通信機能を備えている場合には、プログラム３４１は、電気通信回線を通じて取得されてハードディスク３０４に記憶されてもよい。
【００４５】
図６は、デジタルカメラ２００の主要な構成をブロック等にて示す図である。デジタルカメラ２００は、入射光を結像するレンズユニット１１０と、画像データを処理する本体部１２０とを有する。レンズユニット１１０は、複数のレンズを有するレンズ系１１１、および、絞り１１２を備えている。レンズ系１１１により結像された被写体の光像は、本体部１２０のＣＣＤ１２１にて光電変換されて画像信号とされる。ＣＣＤ１２１は各画素の値としてＲ，Ｇ，Ｂの各色に関する値を取得する３バンドの撮像デバイスとなっている。ＣＣＤ１２１から出力される画像信号は後述する処理が行われた後、本体部１２０に着脱可能に装着される外部メモリであるメモリカード９１に記憶される。
【００４６】
本体部１２０には、ユーザインターフェースとして機能するシャッタボタン１２３、ディスプレイ１２５および操作ボタン１２６が設けられる。ユーザがファインダ等を介して被写体８１および色票１を捉え、シャッタボタン１２３を操作することにより、被写体８１および色票１を撮影範囲に収めた画像データが取得される。また、ディスプレイ１２５に表示されるメニューに従ってユーザが操作ボタン１２６を操作することにより、撮影条件の設定、メモリカード９１の保守等ができるようにされている。
【００４７】
図６に示す構成のうち、レンズ系１１１、ＣＣＤ１２１、Ａ／Ｄ変換部１２２、シャッタボタン１２３、ならびに、マイクロコンピュータとしてのＣＰＵ２１０、ＲＯＭ２２０およびＲＡＭ２３０は画像データを取得する機能を実現する。すなわち、レンズ系１１１により被写体の像がＣＣＤ１２１上に結像され、シャッタボタン１２３が押されると、ＣＣＤ１２１からの画像信号がＡ／Ｄ変換部１２２によりデジタル変換される。Ａ／Ｄ変換部１２２にて変換されたデジタルの画像信号は、ＲＡＭ２３０に画像データとして記憶される。なお、これらの処理の制御は、ＣＰＵ２１０がＲＯＭ２２０内に記憶されているプログラム２２１に従って動作することにより行われる。
【００４８】
また、本体部１２０に設けられるＣＰＵ２１０、ＲＯＭ２２０およびＲＡＭ２３０が画像データを処理する機能を実現する。具体的には、ＲＯＭ２２０に記憶されているプログラム２２１に従って、ＲＡＭ２３０を作業領域として利用しながらＣＰＵ２１０が動作することにより、画像データに画像処理が施される。
【００４９】
カードＩ／Ｆ（インターフェイス）１２４はＲＡＭ２３０と接続され、操作ボタン１２６からの入力操作に基づいてＲＡＭ２３０とメモリカード９１との間の各種データの受け渡しを行う。また、ディスプレイ１２５もＣＰＵ２１０からの信号に基づいてユーザに対して各種情報の表示を行う。
【００５０】
次に、デジタルカメラ２００が、物体色成分データを生成する処理について説明する。
【００５１】
図７は、デジタルカメラ２００のＣＰＵ２１０、ＲＯＭ２２０およびＲＡＭ２３０により実現される機能を他の構成とともにブロックにて示す図である。図７に示す構成のうち、物体色成分データ生成部２０１は、ＣＰＵ２１０、ＲＯＭ２２０、ＲＡＭ２３０等により実現される機能である。図８は、デジタルカメラ２００の撮影および画像処理の流れを示す流れ図である。以下、図７および図８を参照しながらデジタルカメラ２００の物体色成分データの取得動作について説明する。
【００５２】
まず、色票１（より厳密には第１のシート状部材１０）を被写体８１の患部付近に貼り付けて、被写体８１および色票１を撮影範囲に収めた撮影がなされる。デジタルカメラ２００では、その撮影動作によってレンズユニット１１０を介してＣＣＤ１２１にて画像信号が取得される。ＣＣＤ１２１から出力された画像信号は、Ａ／Ｄ変換部１２２からＲＡＭ２３０へと送られ、画像データ２３１として記憶される（ステップＳＴ１）。
【００５３】
ＲＡＭ２３０に画像データ２３１が記憶されると、次に、物体色成分データを求める際に用いる照明成分データ２３２が設定される（ステップＳＴ２）。照明成分データ２３２は、照明光の分光分布を示すデータであり、より一般的には、照明光の画像データに与える影響を示すデータである。照明成分データ２３２が示す分光分布の強度は最大の分光強度を１として正規化されており、照明成分データ２３２は照明光の相対的な分光分布を示す。
【００５４】
デジタルカメラ２００のＲＯＭ２３０には、様々な照明光（光源）にそれぞれ対応する複数の照明成分データ２３２が予め記憶されており、ユーザが撮影時の光源に応じて操作ボタン１２６によりこれらから一の照明成分データ２３２を選択する。なお、デジタルカメラ２００にマルチバンドセンサを設けておき、このマルチバンドセンサからの出力に基づいて実際の照明光の分光分布が求められて、物体色成分データを求める際に用いる照明成分データ２３２としてＲＡＭ２３０に記憶されてもよい。マルチバンドセンサとしては、複数の光強度検出器のそれぞれに各波長帯の光のみを透過するフィルタを設けたものを利用することができる。
【００５５】
照明成分データ２３２が設定されると、次に、物体色成分データ生成部２０１により、画像データ２３１および照明成分データ２３２を用いて、画像データ２３１から照明環境の影響を取り除いた成分として物体色成分データ２３３が求められる（ステップＳＴ３）。物体色成分データ２３３は、被写体の分光反射率に実質的に相当するデータである。被写体の分光反射率を求める手法は種々存在するが、そのうちの一つの手法について以下に説明する。ただし、これ以外の手法を用いてもよいことは勿論である。
【００５６】
まず、可視領域の波長をλとして被写体を照明する照明光の分光分布をＥ(λ)とし、ある画素（以下、「対象画素」という。）に対応する被写体上の位置の分光反射率をＳ(λ)とする。分光反射率Ｓ(λ)は３つの基底関数Ｓ1(λ)，Ｓ2(λ)，Ｓ3(λ)および加重係数σ1，σ2，σ3の加重和として、
【００５７】
【数１】
2006084264.tif 000003
【００５８】
と表される。したがって、対象画素に対応する被写体上の位置からの反射光（すなわち、対象画素への入射光）の分光分布Ｉ(λ)は、
【００５９】
【数２】
2006084264.tif 000004
【００６０】
と表現される。また、対象画素のＲ，Ｇ，Ｂのいずれかの色（以下、「対象色」という。）に関する値（画素値）をρcとし、デジタルカメラ２００の対象色の総合分光感度（レンズ系１１１の分光透過率およびＣＣＤ１２１の分光感度を考慮した感度）をＲc(λ)とすると、ρcは、
【００６１】
【数３】
2006084264.tif 000005
【００６２】
と表される。数３において、基底関数Ｓj(λ)は予め定められた関数であり、総合分光感度Ｒc(λ)は予め計測により求めることができる関数である。これらの情報は予めＲＯＭ２２０やＲＡＭ２３０に記憶される。また、照明光の分光分布Ｅ(λ)は、照明成分データ２３２としてＲＡＭ２３０に記憶されている。
【００６３】
したがって、数３に示す方程式において未知数は３つの加重係数σ1，σ2，σ3のみである。また、数３に示す方程式は対象画素におけるＲ，Ｇ，Ｂの３つの色のそれぞれに関して求めることができ、これら３つの方程式を解くことにより３つの加重係数σ1，σ2，σ3を求めることができる。
【００６４】
このようにして求められる３つの加重係数σ1，σ2，σ3と、基底関数Ｓj(λ)とを数１に代入すれば、対象画素に対応する被写体上の位置の分光反射率Ｓ(λ)を表現することができる。したがって、対象画素の加重係数σ1，σ2，σ3を求めることは、対象画素に対応する被写体上の位置の分光反射率Ｓ(λ)を求めることに相当する。
【００６５】
以上の手法に基づき、デジタルカメラ２００の物体色成分データ生成部２０１は画像データ２３１の画素値および照明成分データ２３２を参照しながら、各画素に対応する被写体上の位置の分光反射率（すなわち、各画素の加重係数σ1，σ2，σ3）を求める。そして、求められた全画素に関しての加重係数σ1，σ2，σ3が、物体色成分データ２３３としてＲＡＭ２３０に記憶される（ステップＳＴ３）。物体色成分データ２３３が求められると、その物体色成分データ２３３は、メモリカード９１へと転送されて保存される（ステップＳＴ４）。
【００６６】
物体色成分データ２３３は、各画素に相当するデータが被写体の分光反射率を示すものであり、「分光画像」とも呼ばれる。より一般的には、物体色成分データ２３３は、撮影時の照明光の影響が取り除かれた画像データに相当するデータとなる。
【００６７】
デジタルカメラ２００は、以上のような一連の処理を撮影対象（被写体）毎に実行し、複数の撮影対象の物体色成分データ２３３を取得する。取得された複数の物体色成分データ２３３は、メモリカード９１を介してコンピュータ３００に受け渡されコンピュータ３００においてデータベースとして蓄積される。
【００６８】
次に、コンピュータ３００ａがデジタルカメラ２００から物体色成分データ２３３を入力して、それをデータベースに蓄積するまでの一連処理について説明する。
【００６９】
図９は、コンピュータ３００ａのＣＰＵ３０１がプログラム３４１に従って動作することによって、物体色成分データ入力時に実現される機能を他の構成とともにブロックにて示す図である。図９に示す構成のうち、読取装置制御部３７１、患者情報取得部３７２および識別情報記録処理部３７３は、ＣＰＵ３０１がプログラム３４１に従って動作することにより実現される。
【００７０】
図１０は、ＣＰＵ３０１がプログラム３４１に従って実現する処理の流れ図であり、具体的には物体色成分データ２３３を入力してデータベースとして保存する処理の流れを示している。以下、図９および図１０を参照しながらコンピュータ３００ａの処理について説明する。
【００７１】
まず、コンピュータ３００ａは、メモリカード９１を介して物体色成分データ２３３を入力すると、そのデータを一時的にＲＡＭ３０３に格納する（ステップＳＴ１１）。
【００７２】
そしてユーザが操作部３０６を介して指示を行うことにより、入力した物体色成分データ２３３の被写体となった患者を指定する。ユーザによる患者の指定は患者情報取得部３７２に受け付けられ、患者情報取得部３７２は、この指定に基づいてコンピュータ３００ｂにアクセスし、コンピュータ３００ｂに蓄積されている医療用データベース３１０の中から、当該患者の患者情報を取得する。そして患者情報取得部３７２によって取得された患者情報２３６は一時的にＲＡＭ３０３に格納される（ステップＳＴ１２）。
【００７３】
次に、患者に貼り付けた色票１を、読取装置４００の近傍位置に配置した状態で、ユーザは識別情報の読み取り指示を行う。この指示は、読取装置制御部３７１に受け付けられ、読取装置制御部３７１が読取装置４００を制御する。これにより、読取装置４００は、被写体８１に貼り付けられた色票１（より厳密には第１のシート状部材１０）のマイクロチップ１４に設定された識別情報を無線読み取りし、コンピュータ３００ａに出力する。コンピュータ３００ａは、色票１の識別情報２３５を取得すると、それを一時的にＲＡＭ３０３に格納する（ステップＳＴ１３）。
【００７４】
次に、ユーザは操作部３０６を介して指示を行うことにより、色票１の識別情報２３５を対応付けて、患者情報２３６及び物体色成分データ２３３を記録するように指示する。この指示は、識別情報記録処理部３７３によって受け付けられる。
【００７５】
そしてまず、識別情報記録処理部３７３は、ＲＡＭ３０３の患者情報２３６を読み出し、患者情報２３６に色票１の識別情報２３５を対応付ける処理を行った後、コンピュータ３００ｂにアクセスして、コンピュータ３００ｂに蓄積されている医療用データベース３１０の患者情報を更新する（ステップＳＴ１４）。これにより、患者情報２３６には色票１の識別情報２３５が含まれることになる。
【００７６】
次に、識別情報記録処理部３７３は、ＲＡＭ３０３の物体色成分データ２３３を読み出し、その物体色成分データ２３３についてのヘッダデータなどの付属データに対して色票１の識別情報２３５を書き込む（ステップＳＴ１５）。これにより、物体色成分データ２３３の付属データを参照すれば、撮影時に用いた色票１を特定することができる。
【００７７】
そして識別情報記録処理部３７３は、付属データに識別情報２３５が書き込まれた物体色成分データ２３３をハードディスク３０４の物体色成分データベース３５１に追加保存する（ステップＳＴ１６）。このとき、物体色成分データ２３３のファイル名には、色票１の識別情報が含められることが好ましい。物体色成分データ２３３のファイル名に識別情報を含めておくことにより、付属データを参照することなく、撮影時に用いた色票１を特定できるので効率的に色票１の特定が可能になる。
【００７８】
以上のように本実施形態では、色票１の識別情報２３５を、物体色成分データ２３３および患者情報２３６のそれぞれに対して関連づけて記録するように構成されるため、物体色成分データ２３３がどの色票１を用いて撮影されたものであるかを容易に特定できるようになっているし、また患者がどの色票１を用いて撮影されたのかを容易に特定できるようになっている。特に、識別情報２３５を手がかりにして物体色成分データ２３３と患者情報２３６との対応関係を把握することができるようになっているので、一方から他方を検索する場合に有益なデータ構造となっている。また、これらの対応関係を手作業で設定入力する場合に比べれば、本実施形態の画像処理システム１００は、正確かつ効率的にそれらの対応関係を設定できるように構成されている。
【００７９】
次に、コンピュータ３００ａが、物体色成分データ２３３を用いて画像データを再生し、画像診断を行う処理について説明する。
【００８０】
図１１は、画像再生時にコンピュータ３００ａのＣＰＵ３０１がプログラム３４１に従って動作することにより実現される機能を他の構成とともにブロックにて示す図である。図１１に示す構成のうち、データ選択受付部３１１、合成画像生成部３１２、基準受付部３１３、画像調整部３１４、合成画像記録部３１５、表示データ生成部３１６および診断結果記録処理部３１７が、ＣＰＵ３０１がプログラム３４１に従って動作することにより実現される。
【００８１】
図に示すように、ハードディスク３０４には、デジタルカメラ２００により得られ、色票１の識別情報２３５が対応付けられた複数の物体色成分データ２３３から構成される物体色成分データベース３５１が構築されている。さらにハードディスク３０４には、複数の照明成分データ２３２から構成される照明成分データベース３５２が構築されている。この照明成分データ２３２は、上記で説明したものと同じく照明光の分光分布を示すデータであり、より一般的には、照明光の画像データに与える影響を示すデータである。
【００８２】
コンピュータ３００ａでは、物体色成分データ２３３が示す被写体をユーザに閲覧させる。ただし、物体色成分データ２３３はそのままではディスプレイ３０５の表示に供することができないため、コンピュータ３００ａは、物体色成分データ２３３に照明成分データ２３２を合成し、これにより生成される画像データ（以下、「合成画像データ」という。）をディスプレイ３０５に表示する。この処理により、ユーザは物体色成分データ２３３が示す被写体の閲覧および比較が可能となる。照明成分データベース３５２には、この合成画像データの生成に用いるための候補となる複数の照明成分データ２３２が含まれている。照明成分データ２３２としては、例えば、ＣＩＥ規格のＤ６５、ＣＩＥ規格のＤ５０、白熱灯、蛍光灯、太陽光などの様々な照明光（光源）に対応したものが存在している。
【００８３】
図１２は、ＣＰＵ３０１がプログラム３４１に従って実現する処理の流れ図であり、具体的には物体色成分データ２３３を用いて合成画像データを再生し、画像診断を行うため処理の流れを示している。以下、図１１および図１２を参照しながらコンピュータ３００ａの処理について説明する。
【００８４】
まず、ユーザは操作部３０６を介して指示を行うことにより、診断対象となる患者の指定を行う。ユーザによる患者の指定はデータ選択受付部３１１に受け付けられる（ステップＳＴ２１）。
【００８５】
そしてデータ選択受付部３１１は、コンピュータ３００ｂにアクセスし、医療用データベース３１０の中からユーザによって指定された患者の患者情報２３６を取得して、そこに含まれる色票１の識別情報２３５を全て抽出し、物体色成分データベース３５１の中から、各識別情報２３５に対応付けられた複数の物体色成分データ２３３を抽出する。ここで、抽出された複数の物体色成分データ２３３はハードディスク３０４からＲＡＭ３０３に読み出される。これにより、ユーザが診断を行おうとする患者についての、比較すべき複数の物体色成分データ２３３が決定される（ステップＳＴ２２）。
【００８６】
次に、ユーザの操作部３０６を介しての指示により、照明成分データベース３５２から、合成画像データの生成に用いるための一の照明成分データ２３２が選択される。例えば、ディスプレイ３０５に、照明成分データベース３５２に含まれる照明成分データ２３２の名称の一覧が表示されており、ユーザが、マウスポインタにより所望の照明成分データ２３２の名称を選択してから、「ＯＫ」と表記されたコマンドボタンをクリックすることによって選択操作が行われる。この結果、一の照明成分データ２３２の選択の指示がデータ選択受付部３１１により受け付けられ、選択された照明成分データ２３２がＲＡＭ３０３に読み出される（ステップＳＴ２３）。
【００８７】
次に、ユーザの操作部３０６を介しての指示により、合成画像データの明るさを調整する際の基準となる基準値が指定される。例えば、ディスプレイ３０５に、基準値を指定するためのスライダーコントロールなどが表示されており、ユーザがマウス操作によってそのスライダーコントロールを所望の位置に移動させる、あるいは、数値入力欄に直接的に数値を入力することによって、基準値を０から１の範囲の数値で指定することができるようになっている。そして「ＯＫ」と表記されたコマンドボタンをクリックすることによって、指定された基準値が基準受付部３１３に受け付けられる（ステップＳＴ２４）。
【００８８】
さらに、ユーザの操作部３０６を介しての指示により、合成画像データ中の被写体のサイズを調整する際の基準となる基準サイズが画素数で指定される。例えば、ディスプレイ３０５に、基準サイズを指定するためのスライダーコントロールなどが表示されており、ユーザがマウス操作によってそのスライダーコントロールを所望の位置に移動させることにより、あるいは、数値入力欄に直接的に数値を入力することによって、基準サイズを１０から１００の範囲の数値で指定することができるようになっている。そして「ＯＫ」と表記されたコマンドボタンをクリックすることによって、指定された基準サイズが基準受付部３１３に受け付けられる（ステップＳＴ２５）。
【００８９】
次に、ＲＡＭ３０３に読み出された複数の物体色成分データ２３３のうち一の物体色成分データ２３３が処理の対象（以下、「注目物体色成分データ」という。）として決定される（ステップＳＴ２６）。
【００９０】
注目物体色成分データが決定されると、次に、注目物体色成分データおよび照明成分データ２３２が合成画像生成部３１２に入力される。合成画像生成部３１２は、注目物体色成分データの各画素に相当するデータを、数１の加重係数σjとして用いることにより被写体上の各位置の分光反射率Ｓ(λ)を求める。なお、基底関数Ｓj(λ)は予めハードディスク３０４に記憶される。そして、求めた被写体上の各位置の分光反射率Ｓ(λ)と、照明成分データ２３２が示す照明光の分光分布Ｅ(λ)とを数２に用いて、これらを乗算した分光分布（以下、「合成分光分布」という。）Ｉ(λ)を求める。これにより、各画素が合成分光分布Ｉ(λ)で表現される合成画像データ３３１が生成される。合成分光分布Ｉ(λ)は、注目物体色成分データが示す被写体を照明成分データ２３２が示す照明光で照明したと仮定した場合の、被写体からの反射光の分光分布に相当する。
【００９１】
合成画像データ３３１の各画素は、合成分光分布Ｉ(λ)を数４に代入することにより、三刺激値（ＸＹＺ値）で表現することも可能である。数４においてＲX(λ)，ＲY(λ)，ＲZ(λ)はＸＹＺ表色系の等色関数である。
【００９２】
【数４】
2006084264.tif 000006
【００９３】
また、合成画像データ３３１の各画素は、周知のマトリクス演算により三刺激値（ＸＹＺ値）をＲＧＢ値に変換することで、ＲＧＢ値で表現することも可能である。したがって、合成画像データ３３１は、ディスプレイ３０５の表示に容易に供することが可能なデータである（ステップＳＴ２７）。
【００９４】
このようにして生成された合成画像データ３３１を表示してもよいが、本実施の形態では、複数の合成画像データを同一条件で再現して表示するように構成されるので、明るさの調整、および、被写体のサイズの調整が合成画像データ３３１に対してなされる。これらの調整を行う際には、合成画像データ３３１の各画素は合成分光分布Ｉ(λ)で表現された状態とされる。
【００９５】
合成画像データ３３１の調整にあたっては、まず、合成画像データ３３１中において色票１に関する画像が、画像調整部３１４により特定される。より具体的には、色票１の基準領域１１に含まれる基準色パッチ１２に関する画像が特定される。ここでの特定は、手動操作による特定であってもよいし、パターンマッチングなどを適用した自動認識による特定であってもよい（ステップＳＴ２８）。
【００９６】
次に、画像調整部３１４は、特定された基準色パッチ１２の明るさが基準受付部３１３に受け付けられた基準値に一致するように、合成画像データ３３１の明るさを調整する。具体的には、基準値を基準色パッチの明るさで除算して調整係数を導出し、導出した調整係数を合成画像データ３３１の各画素の合成分光分布Ｉ(λ)に乗算する。基準領域の明るさとしては、基準領域に含まれる各画素の合成分光分布Ｉ(λ)から得られる特定波長（例えば、５６０ｎｍ）における分光強度の平均値が利用される。これにより、合成画像データ３３１中の全被写体の明るさが調整される。調整後の合成画像データ３３１中の基準領域の明るさは、基準値に一致する（ステップＳＴ２９）。
【００９７】
続いて、画像調整部３１４は、色票１の基準領域１１のサイズが基準受付部３１３に受け付けられた基準サイズに一致するように、合成画像データ３３１中の被写体のサイズを調整する。具体的には、基準サイズと基準領域１１のサイズとを比較して、基準領域１１のサイズが基準サイズに一致するための拡大倍率または縮小倍率を導出する。基準領域１１のサイズとしては、基準領域１１の一辺の画素数が利用される。そして、導出した拡大倍率または縮小倍率に基づいて、合成画像データ３３１を拡大または縮小する。これにより、合成画像データ３３１中の全被写体のサイズが調整される。調整後の合成画像データ３３１中の基準領域１１のサイズは、基準サイズに一致する（ステップＳＴ３０）。なお、基準領域１１の画像サイズを調整するのではなく、基準色パッチ１２の画像サイズを調整するようにしてもよい。
【００９８】
このような明るさの調整および被写体のサイズの調整がなされると、表示データ生成部３１６によって、合成画像データ３３１の各画素の合成分光分布Ｉ(λ)は、数４による演算によりＸＹＺ値とされ、さらにＲＧＢ値に変換される。そして、調整済の合成画像データ３３１がディスプレイ３０５に表示される。これにより、ユーザは生成された合成画像データ３３１を閲覧することができる。なお、ＸＹＺ値からＲＧＢ値への変換には、ディスプレイ３０５に固有の特性を示すＩＣＣプロファイルを用いてもよい。変換にＩＣＣプロファイルを用いることで、ディスプレイ３０５に表示する画像から、ディスプレイ３０５に固有の特性を排除することができる（ステップＳＴ３１）。
【００９９】
このようにして、一の注目物体色成分データから生成される合成画像データ３３１が表示されると、次の注目物体色成分データが決定される（ステップＳＴ３２，ＳＴ２６）。そして、上記と同じ処理（ステップＳＴ２６〜ＳＴ３１）が、その注目物体色成分データに関して行われる。このような処理の繰り返しにより、最終的に、比較対象とする全ての物体色成分データ２３３からそれぞれ合成画像データ３３１が生成される。そして、生成された複数の合成画像データ３３１は、それぞれディスプレイ３０５に表示され、同一条件で再生された複数の画像を比較することができるようになる。そして複数の画像を比較することによって、患部の経過状態などを良好に把握できるようになり、正確な画像診断が行える。
【０１００】
また上記処理において、合成画像データ３３１の生成に用いられる照明成分データ２３２は、比較対象とする複数の物体色成分データ２３３間で同一である。したがって、複数の物体色成分データ２３３の取得時における照明光の分光分布が相違していた場合であっても、生成された複数の合成画像データ３３１は、同一分光分布の照明光に照明された被写体を示すこととなる。つまり、同一分光分布の照明光下における被写体を再現することができ、同一の被写体は同一色で再現される。これにより、ユーザは同一分光分布の照明光下の被写体を比較することができ、被写体の比較を的確に行うことができる。また、合成画像データ３３１の生成に用いる一の照明成分データ２３２の選択の指示をユーザから受け付けるため、ユーザにとって所望の分光分布の照明光下における被写体を再現できる。
【０１０１】
また、物体色成分データ２３３は相対分光反射率を示すことから、単に物体色成分データ２３３に照明成分データ２３２を合成した場合は、生成される合成画像データ３３１の明るさは物体色成分データ２３３の取得時における照明光の強度に影響される。したがってこの場合は、複数の合成画像データ３３１の再生時に、同一の被写体が同一の明るさで再現されない可能性がある。本実施の形態では、基準領域の明るさが基準値に一致するように合成画像データ３３１の明るさが調整され、複数の合成画像データ３３１間で基準領域の明るさが一致される。したがって、複数の合成画像データ３３１は、同一の強度の照明光に照明された被写体を示すこととなる。つまり、同一強度の照明光下における被写体を再現することができ、同一の被写体は同一の明るさで再現される。これにより、ユーザは、同一強度の照明光下における被写体を比較することができ、被写体の比較をさらに的確に行うことができる。また、基準領域の明るさを一致させるための基準となる基準値の指定をユーザから受け付けるため、ユーザにとって所望の強度の照明光下における被写体を再現できる。
【０１０２】
また、単に物体色成分データ２３３に照明成分データ２３２を合成した場合は、生成される合成画像データ３３１中の被写体のサイズは、物体色成分データ２３３の取得時における撮影距離に影響される。したがってこの場合は、複数の合成画像データ３３１の再生時に、同一の被写体が同一のサイズで再現されない可能性がある。本実施の形態では、基準領域のサイズが基準サイズに一致するように合成画像データ３３１中の被写体のサイズが調整（拡大または縮小）され、複数の合成画像データ３３１間で基準領域のサイズが一致される。したがって、複数の合成画像データ３３１は、実際の被写体に対するスケールが同一となる被写体を示すこととなる。つまり、被写体を同一スケールで再現することができ、同一の被写体は同一のサイズで再現される。これにより、ユーザは、同一スケールの被写体を比較することができ、被写体の比較をさらに的確に行うことができる。また、基準領域のサイズを一致させるための基準となる基準サイズの指定をユーザから受け付けるため、ユーザにとって所望のスケールで被写体を再現できる。
【０１０３】
上記のようにして生成された複数の合成画像データ３３１は、合成画像記録部３１５によりハードディスク３０４に記録され、合成画像データベース３５３として蓄積される（ステップＳＴ３３）。このように生成された複数の合成画像データ３３１をデータベースとして蓄積することで、物体色成分データ２３３が示す被写体を再び再生する際に合成画像データ３３１を生成する必要がなくなり、ユーザは短時間で目的とする被写体を閲覧することができる。なお、生成された複数の合成画像データ３３１を記録するか否かを、ユーザが指定できるようになっていてもよい。
【０１０４】
そして、ユーザは操作部３０６を介して画像診断の診断結果の入力を行う。この入力情報は、診断結果記録処理部３１７に受け付けられる。そして診断結果記録処理部３１７は、コンピュータ３００ｂにアクセスし、画像診断の診断結果を当該患者の患者情報に関連づけて医療用データベース３１０に記録する（ステップＳ３４）。これにより、医療用データベース３１０には、患者情報、物体色成分データおよび診断結果が全て関連づけられることになる。
【０１０５】
以上のように、本実施の形態では、カラー画像の色のキャリブレートを行うために使用されるシート状の色票１に、固有の識別情報を格納するマイクロチップ１４が埋設されており、その識別情報を外部から無線読み取り可能なように構成されている。したがって、色票１の識別情報を読み取れば、該識別情報を画像の管理情報として用いることができるようになっており、各画像がどの色票を用いて撮影されたものかを容易に特定できるようになる。その結果、画像の管理を容易かつ正確に行えるようになる。
【０１０６】
また、色票１が、第１のシート状部材１０、第２のシート状部材２０および台紙３０がこの順で互いに粘着材を介して貼り合わされた構造を有しており、第１のシート状部材１０が比較的粘着力の弱い粘着材で第２のシート状部材２０に対して剥離可能な状態で貼り合わされ、第２のシート状部材２０が比較的粘着力の強い粘着材で台紙３０に対して剥離可能な状態で貼り合わされた構造となっている。このような構造により、例えば、第１のシート状部材１０は被写体への貼り付け用に、第２のシート状部材２０はカルテへの貼り付け用に適したものとなる。
【０１０７】
また、色票１における第１のシート状部材１０の表面の一部に、識別情報が印字されることにより、ユーザは目視で識別情報の確認を行うこともできるようになっている。
【０１０８】
また、本実施の形態の画像処理システム１００は、色票１と被写体８１とを同時に撮影した画像を入力し、その画像から照明光の影響を取り除いた画像データを生成するように構成され、色票１から、色票１に記憶された識別情報を読み取り、その識別情報を、撮影して得られた画像に関連づけて記録するようになっている。そのため、本実施の形態の画像処理システムは、色票１の格納された識別情報を画像の管理情報として用いて、各画像がどの色票を用いて撮影されたものかを容易に特定できるように構成されている。
【０１０９】
また、画像と識別情報との関連づけのひとつは、画像に関する画像ファイルの付属データに対して識別情報を書き込むことによって行われる。したがって、画像ファイルの付属データを参照すれば、どの色票１を用いて撮影された画像であるかを容易に特定できるようになる。
【０１１０】
また、画像と識別情報とのもうひとつの関連づけは、画像に関する画像ファイルのファイル名に識別情報を含めることによって行われる。したがって、この場合は、画像ファイルの付属データを参照する必要もなく、ファイル名から容易に、どの色票１を用いて撮影された画像であるかを特定できるようになる。
【０１１１】
また、本実施の形態の画像処理システム１００は、患者の情報を管理する医療用データベース３１０を備えており、撮影対象となった患者の患者情報２３６と、色票１の識別情報２３５とをさらに関連づけて医療用データベース３１０に対して記録するように構成される。そのため、識別情報２３５によって、画像（物体色成分データ２３３）と患者情報２３６とを対応付けることができ、画像と患者情報２３６との管理を正確に行うことができるようになっている。
【０１１２】
また、画像処理システム１００においては、画像による診断結果をさらに関連づけて医療用データベースに対して記録するように構成されている。そのため、画像、患者情報２３６、および診断結果が相互に対応付けられることになり、総合的な医療情報の正確な管理が可能である。
【０１１３】
以上のように、本実施形態の画像処理システム１００は、人為的なミスが生じる可能性を著しく低減した構成となっており、医療ミスなどを未然に防止できるものとなっている。
【０１１４】
以上、本発明の実施の形態について説明したが、本発明は上述したものに限定されるものではない。
【０１１５】
例えば、上述した実施の形態では、デジタルカメラ２００において物体色成分データ２３３が生成される場合を例示したが、これに限定されるものではなく、物体色成分データの生成処理をコンピュータ３００ａにおいて行うようにしてもよい。この場合、コンピュータ３００ａには、撮影によって得られるカラー画像に関する画像データが入力することになり、コンピュータ３００ａにおいて上述した演算処理が行われることにより、物体色成分データの生成が行われる。また、このときコンピュータ３００ａに入力した撮影画像は、コンピュータ３００ａのハードディスク３０４に保存されることが好ましく、その場合には該撮影画像と、色票１の識別情報とがさらに関連づけられることがより好ましい。
【０１１６】
また、上述した実施の形態において、コンピュータ３００ａで行っていた処理をデジタルカメラ２００の内部で行うようにしてもよい。
【０１１７】
また、上述した実施の形態では、画像処理システム１００が医療用の画像診断システムとして利用される場合を例示したが、これに限定されるものではなく、複数の画像を同一条件下で比較することが必要なシステムであればどのようなものであっても適用可能なものである。
【図面の簡単な説明】
【０１１８】
【図１】色票を斜め前方側からみた斜視図である。
【図２】色票の各シート部材を分離した状態を示す斜視図である。
【図３】色票を構成する第１のシート状部材の断面図である。
【図４】画像処理システムの一例を示す図である。
【図５】コンピュータの概略構成を示す図である。
【図６】デジタルカメラの主要な構成を示す図である。
【図７】デジタルカメラの機能をブロックにて示す図である。
【図８】デジタルカメラの動作の流れを示す流れ図である。
【図９】物体色成分データ入力時にコンピュータで実現される機能を示すブロック図である。
【図１０】コンピュータが物体色成分データを入力してデータベースに保存する処理の流れを示す流れ図である。
【図１１】画像再生時にコンピュータで実現される機能を示すブロック図である。
【図１２】コンピュータにおいて画像再生を行う際の流れ図である。
【符号の説明】
【０１１９】
１  色票
１０  第１のシート状部材
１１  基準領域
１２  基準色パッチ
１３  識別情報表示欄
１４  マイクロチップ
２０  第２のシート状部材
３０  台紙
１００  画像処理システム
２００  デジタルカメラ
３００ａ，３００ｂ  コンピュータ
２３２  照明成分データ
２３３  物体色成分データ
２３５  識別情報
２３６  患者情報
３３１  合成画像データ
３１０  医療用データベース
４００  読取装置
【図１】
2006084264.tif 000007
【図２】
2006084264.tif 000008
【図３】
2006084264.tif 000009
【図４】
2006084264.tif 000010
【図５】
2006084264.tif 000011
【図６】
2006084264.tif 000012
【図７】
2006084264.tif 000013
【図８】
2006084264.tif 000014
【図９】
2006084264.tif 000015
【図１０】
2006084264.tif 000016
【図１１】
2006084264.tif 000017
【図１２】
2006084264.tif 000018